(57)【要約】【課題】  コップ容器の購買意欲を喚起すると共に、輸送効率を著しく向上でき、輸送コストの低減化を達成する。【解決手段】  コップ容器１は、組み立て構造を有しており、複数のカップ２ａ、２ｂ、２ｃで構成されたカップ部２と、把手部３と、カップ部２を支持分枝４ａ、４ｂ、４ｃで支える支持部４と、台座部５とを備えている。ここで、３個のカップ２ａ、２ｂ、２ｃはつり鐘を逆さにした形状であり同一形状となっている。そして、これらのカップは、消費者の嗜好に合わせて異なるカラー色に彩色され、把手部３の中心軸の周りにほぼ１２０度回転した位置にシンメトリーに配置される。【選択図】  図１
0003102388.tif 000002
【実用新案登録請求の範囲】
【請求項１】
飲料食品、流動性食品、半流動性食品又は氷菓子食品を入れる複数のカップ部と、
幹部と、
該幹部から一体的に分枝され、先端部にて、前記各カップ部を垂直に、かつ、着脱自在に保持する複数の枝部と、
前記幹部を着脱自在に支える台座部とを備えてなることを特徴とするコップ容器。
【請求項２】
前記カップ部の下端部には、差込用凸部が設けられる一方、前記各枝部の前記先端部には、前記差込用凸部と着脱自在に嵌合し得る被差込用凹部が設けられていることを特徴とする請求項１記載のコップ容器。
【請求項３】
前記各枝部の前記先端部には、差込用凸部が設けられる一方、前記各カップ部の下端部には、前記差込用凸部と着脱自在に嵌合し得る被差込用凹部が設けられていることを特徴とする請求項１記載のコップ容器。
【請求項４】
前記各枝部は、曲線状に伸び、その先端部は、垂直上方を向く態様に形成されていることを特徴とする請求項１、２又は３記載のコップ容器。
【請求項５】
前記カップ部、幹部、枝部及び台座部は、合成樹脂を成形してなることを特徴とする請求項１乃至４のいずれか一に記載のコップ容器。
【請求項６】
前記カップ部は３個からなると共に、前記枝部は３本からなることを特徴とする請求項１乃至５のいずれか一に記載のコップ容器。
【請求項７】
前記カップ部、幹部又は枝部の少なくとも一部は、温度に応じて光の透過率が変化する調光領域が形成された調光層を有して成り、
前記調光層のうち、前記調光領域又は前記調光領域の周囲の非調光領域は、所定の図柄又は模様を呈していることを特徴とする請求項１乃至６のいずれか一に記載のコップ容器。
【請求項８】
前記調光層の前記調光領域は、液晶小滴を母材中に分散させることによって形成されていることを特徴とする請求項７記載のコップ容器。
【請求項９】
前記調光層の前記調光領域は、液晶が封入されたマイクロカプセルを母材中に分散させることによって形成されていることを特徴とする請求項８記載のコップ容器。
【考案の詳細な説明】
【技術分野】
【０００１】
この考案は、例えば、氷菓子等の食品を入れるために用いて好適なコップ容器に関する。
【背景技術】
【０００２】
従来より、例えば露店等の出店においてかき氷等の食品を販売する際には、これらの食品を入れるコップ容器としては、通常１回しか使用されないために、コップ型のように一体物として単純な構造となっている紙製あるいは合成樹脂製のコップ容器を用いることが多かった。そして、この場合には、消費者の注意を引くための模様や図柄等が側面に印刷されたコップ容器を用いることによって、消費者の購買意欲を喚起させるようにしていた。
【考案の開示】
【考案が解決しようとする課題】
【０００３】
しかしながら、上記コップ容器では、上述したように、構造が極めて単純で味気なく、消費者の美的関心を引き付ける魅力に限界があり、このコップ容器にかき氷等の氷菓子食品を入れて販売しようとしても消費者の購買意欲を充分に引き起こさせないという問題があった。また、消費者の美的関心を高めるために、コップ容器に構造上の装飾を施し複雑化していくと、コップ容器がかさばり、そのコップ容器の取り扱いが簡便にできなくなり、特に、このようなコップ容器の大量の運搬、保管が困難になるという問題が生じてくる。露店のような狭い領域において使うコップ容器の場合、その領域での運搬および保管は通常では狭い路地や小型の運搬手段等で行うため、この運搬等の作業が簡便かつ低廉にできることが望まれる。
【０００４】
この考案は、上述の事情に鑑みてなされたもので、消費者の購買意欲を充分に喚起することができるようにすると共に、コップ容器を大量かつ容易に運搬できるコップ容器を提供することを目的としている。
【課題を解決するための手段】
【０００５】
上記課題を解決するために、請求項１記載の考案に係るコップ容器は、飲料食品、流動性食品、半流動性食品又は氷菓子食品を入れる複数のカップ部と、幹部と、該幹部から一体的に分枝され、先端部にて、前記各カップ部を垂直に、かつ、着脱自在に保持する複数の枝部と、前記幹部を着脱自在に支える台座部とを備えてなることを特徴としている。
【０００６】
また、請求項２記載の考案は、請求項１記載のコップ容器に係り、前記カップ部の下端部には、差込用凸部が設けられる一方、前記各枝部の前記先端部には、前記差込用凸部と着脱自在に嵌合し得る被差込用凹部が設けられていることを特徴としている。
【０００７】
また、請求項３記載の考案は、請求項１記載のコップ容器に係り、前記各枝部の先端部には、差込用凸部が設けられる一方、前記各カップ部の下端部には、前記差込用凸部と着脱自在に嵌合し得る被差込用凹部が設けられていることを特徴としている。
【０００８】
また、請求項４記載の考案は、請求項１、２又は３記載のコップ容器に係り、前記各枝部は、曲線状に伸び、その先端部は、垂直上方を向く態様に形成されていることを特徴としている。
【０００９】
また、請求項５記載の考案は、請求項１乃至４のいずれか一に記載のコップ容器に係り、前記カップ部、幹部、枝部及び台座部は、合成樹脂を成形してなることを特徴としている。
【００１０】
また、請求項６記載の考案は、請求項１乃至５のいずれか一に記載のコップ容器に係り、前記カップ部は３個からなると共に、前記枝部は３本からなることを特徴としている。
【００１１】
また、請求項７記載の考案は、請求項１乃至６のいずれか一に記載のコップ容器に係り、上記カップ部、幹部又は枝部の少なくとも一部は、温度に応じて光の透過率が変化する調光領域が形成された調光層を有して成り、上記調光層のうち、上記調光領域又は上記調光領域の周囲の非調光領域は、所定の図柄又は模様を呈していることを特徴としている。
【００１２】
また、請求項８記載の考案は、請求項７記載のコップ容器に係り、上記調光層の上記調光領域は、液晶小滴を母材中に分散させることによって形成されていることを特徴としている。
【００１３】
また、請求項９記載の考案は、請求項８記載のコップ容器に係り、上記調光層の上記調光領域は、液晶が封入されたマイクロカプセルを母材中に分散させることによって形成されていることを特徴としている。
【考案の効果】
【００１４】
以上説明したように、この考案の構成によれば、コップ容器が、かさばる構造物ではあるものの、着脱自在で簡単に分解又は組立することができ、しかも、分解した後の構成各部をコンパクトにまとめることができるので、分解した状態で荷箱に収納するならば、組立状態で収納する場合に較べて、大量に積み込みできる。それゆえ、輸送効率を著しく向上でき、もって、輸送コストの低減化を達成できる。
【００１５】
加えて、コップ容器が組み立て構造を有していることによって、従来の一体物よりも構造的な美観に優れしかも色彩の異なる多品種の容器を、美観を異にする消費者にそれぞれ提供することができ、多数の消費者の購買意欲を喚起するために寄与することができる。
【００１６】
また、合成樹脂を原料とした射出成形により製造することによって、安価に製造することができる。また、温度の変化（例えば冷却）で所定の図柄が浮き上がるように構成することによって、例えば、かき氷等の冷却効果のある食品を入れた場合に、上記変化により消費者の好奇心を呼び起こし、一段と美的関心を引き付けると共に購買意欲を高めることができる。
【考案を実施するための最良の形態】
【００１７】
以下、図面を参照して、この考案の実施の形態について説明する。説明は実施例を用いて具体的に行う。
◇第１実施例
図１は、この考案の第１実施例であるコップ容器の構成を示す斜視図、図２は、同コップ容器の構成を示す正面図、図３は、同コップ容器の構成を示す平面図である。図１から判るように、この考案に係るコップ容器は、従来の一体物に比べてその構造の複雑化が可能であり、消費者の美的関心を高める形状にすることができる。
【００１８】
図１、図２に示すように、この例のコップ容器１は、食品を入れる複数のカップ２ａ、２ｂ、２ｃで構成されたカップ部２と、把手部３（幹部）と、カップ部２を支持分枝４ａ、４ｂ、４ｃで支える支持部４（枝部）と、台座部５とを備えている。ここで、３個のカップ２ａ、２ｂ、２ｃは、つり鐘を逆さにした形状（逆つり鐘形状）であり同一形状となっている。そして、図３に示すように、把手部３の中心軸の周りにほぼ１２０度回転した位置にシンメトリーに配置される。
【００１９】
また、把手部３は、消費者が手にする箇所であり、ふくらみ部分（エンタシス）をもち掌の中に納まる程度の大きさとなっている。ここで、把手部３は支持部４と連結しており一体に形成してもよく、分離可能に形成してもよい（後述する）。そして、台座部５は、テーブル等の上に安定してコップ容器１を載置することができるようにするもので、コップ容器１に氷菓子等の食品を盛り合わせてもバランスが充分にとれ全体を安定させる大きさ及び形状になっている。
【００２０】
図４に示すように、この考案のコップ容器１は組み立て構造物であり分解可能である。この例のコップ容器１では、大きく３つの部位に分解できるようになっている。すなわち、カップ部２を構成するカップ２ａ、２ｂ、２ｃと、一体に連結した把手部３及び支持部４と、台座部５とに分解できる。そして、露店等の出店においてかき氷等を販売する場合には、上記の部位を組み立てる。この組み立てに際しては、図４の矢印に示しているように、カップ２ａ、２ｂ、２ｃのそれぞれのカップ継手６ａ、６ｂ、６ｃ（差込用凸部）を支持分枝４ａ、４ｂ、４ｃ（枝部、被差込用凹部）に差し込み、台座部５の台座継手７を支持部３に差し込む。このようにして、図１乃至３に示したコップ容器１が極めて簡便に形成できる。ここで、カップ２ａ、２ｂ、２ｃの底部に被差込用凹部を形成し、支持分枝４ａ、４ｂ、４ｃの先端部をそのまま差込用凸部にしても良い。いずれにしろ、上記各部位は着脱自在になるように構成される。
【００２１】
そして、この考案のコップ容器１のカップ２ａ、２ｂ、２ｃは、それぞれ異なるカラー色、例えば、赤色、青色、黄色の３色に彩色される。あるいは、その他に橙（オレンジ）色、黄緑色、緑色、紫色を用いた彩色が施される。ここで、カップ２ａ、２ｂ、２ｃの彩色の組み合わせは、例えば上記カラー七色の中から消費者の好みに合わせて選択できるようにする。同様に、カップ２ａ、２ｂ、２ｃを支える支持部４の彩色、更に、把手部３および台座部５の彩色も、上記七色から消費者の好みで選択できるようにする。
【００２２】
この考案のコップ容器１に、例えばかき氷を入れる場合には、カップ２ａ、２ｂ、２ｃのそれぞれに所定の分量を盛り付ける。そして、カップ２ａ、２ｂ、２ｃの彩色に合わせて、盛り付けられたかき氷にそれぞれ異なる色のシロップをかけ、組み合わせの美観が惹き出せるようにするとよい。例えば、赤色のカップに盛り付けられたかき氷には青色のシロップをかけ、逆に青色のカップに盛り付けられたかき氷には赤色のシロップをかける等である。ここで、これらカップ２ａ、２ｂ、２ｃ及びシロップの色の選択と組み合わせは、消費者の注文に合わせて行うようにする。
【００２３】
このように、この例の構成によれば、コップ容器１は従来の一体物の場合よりも複雑化した構造物であるが、図３の平面図からも判るようにその形状がシンメトリーの対称美を呈するようにすることは容易であり、しかもコップ容器１は組み立て式であって、その部位の色彩は消費者の美感に則して選択できるようになっている。このために、この考案のコップ容器１は、消費者の美的関心を引き起こし、高い購買意欲を喚起することができるようになる。
【００２４】
この考案のコップ容器の構造は従来の場合よりも複雑になっているが、組み立て式要素となる各部位は極めて簡素な構造である。図５乃至８を参照して、この例のコップ容器１を組み立てる各部位について説明する。図５に示すように、カップ部２のカップ２ａ（あるいは２ｂ、２ｃ）は、前述したようにつり鐘の形状であり、絞り込まれた先端部にはカップ継手６ａ（あるいは６ｂ、６ｃ）が一体に形成されている。このカップ２ａ（あるいは２ｂ、２ｃ）とカップ継手６ａ（あるいは６ｂ、６ｃ）とは、例えばポリエチレンから成る合成樹脂を原料として、射出成形によって一体的に成形されたものである。
【００２５】
同様に、図６に示すように、把手部３、支持分枝４ａ、４ｂ、４ｃで構成された支持部４は、例えばポリエチレンから成る合成樹脂を原料として、射出成形によって一体的に成形されたものである。あるいは、図７に示すように、把手部３と支持分枝４ａ、４ｂ、４ｃとが分離可能に形成されている（前述した）。そして、図７に示す矢印のように、それぞれの支持分枝４ａ、４ｂ、４ｃは把手部３の上部に設けた継手を覆うように差し込まれ組み立てられて、図６と同様な把手部３と支持部４が形成される。
【００２６】
そして、台座部５も、図８に示すように、例えばポリエチレンから成る合成樹脂を原料として、射出成形によって台座継手７と共に一体的に成形されたものとなっている。このように、各部位は合成樹脂を原料とし射出成形によって大量に製造することが可能になるので、この考案のコップ容器は極めて安価に製造することができるようになる。
【００２７】
前述したように、この考案のコップ容器の組み立て要素となる各部位は極めて簡素な構造となっている。このために、各部位は、従来の単純の形状のカップ同様に、同一の部位を多数個に積み重ね収容することができる。このことについて図９，１０を参照して説明する。図９に示すように、カップ２ａ、２ｂ、２ｃ・・・２ｎのように積み重ねる。あるいは、図１０のように、台座部５ａ、５ｂ、５ｃのように積み重ねる。このようにコップ容器の各部位をそれぞれに容易に積み重ねることができるために、この考案に係るコップ容器の梱包が簡便になり、その運搬や保管に手間がかからなくなる。
【００２８】
◇第２実施例
図１１は、この考案の第２実施例であるコップ容器の構成を示す斜視図であり、図１２は、同コップ容器のカップの断面構造図である。この例が第１実施例と大きく異なるところは、調光のための液晶層を有する調光フィルムを付加した点である。これ以外の構成は、第１実施例の構成と略同一であるので、その説明を簡略にする。
【００２９】
図１１に示すように、コップ容器１１は、第１実施例と同様に複数のカップ１２ａ、１２ｂ、１２ｃで構成されたカップ部１２と、把手部１３と、カップ部１２を支持分枝１４ａ、１４ｂ、１４ｃで支える支持部１４と、台座部１５とを備えている。ここで、３個のカップ１２ａ、１２ｂ、１２ｃは長細いつり鐘を逆さにした形状であり同一形状となっている。そして、この例のカップ１２ａ、１２ｂ、１２ｃは、図１２（ａ）に示すように、例えば赤色に着色された透明フィルム（着色層）１６と、透明フィルム１６の例えば外側に貼り付けられた調光フィルム１７とを有して成っている。そして、調光フィルム１７は液晶が分散されて調光される調光領域１７ａと、液晶が分散されていない非調光領域１７ｂとから成っている。
【００３０】
調光領域１７ａは、所定の図柄又は模様が象られるように形成され、温度に応じて光の透過率が変化し、上記図柄又は模様は、透明状態では視認されず、非透明状態で視認されるようになっている。この例では、透過率は、数十℃以上で略８０％、０℃付近で略数％に設定されている。
【００３１】
調光フィルム１７を更に詳細に説明すると、図１２（ｂ）に示すように、液晶（例えば、ＭＢＢＡ等のネマティック液晶）が封入されたマイクロカプセル（例えば径１〜２μｍ）１８をポリママトリクス（母材）１９中に分散させて成る領域を有する液晶層２０と、液晶層２０の両側に配設された透明層２１，２２とを備えて成る。ここで、マイクロカプセル１８が分散している領域が調光領域１７ａに対応する。
【００３２】
この例のコップ容器１１に、かき氷等の冷却効果を有する食品を入れる前の空の状態では、調光領域１７ａにおける透過率は比較的高く、非調光領域１７ｂと同様に赤色光が透過するために、調光領域１７ａの上記図柄又は模様を象った形状は視認されない。しかし、このコップ容器１１に、例えばかき氷を入れると、コップ容器１１は冷却して、例えば温度が０℃付近まで下がり、調光領域１７ａでは、入射光が反射し不透明白濁状態となり、上記図柄又は模様は浮き上がり視認されるようになる。
【００３３】
この例の構成によれば、第１実施例と同一の効果が得られる上に、加えて、かき氷をカップ１２ａ、１２ｂ、１２ｃに入れることで、その温度が低下し所定の図柄あるいは模様が浮き上がるように構成されているので、消費者の好奇心を呼び起こし、一段と消費者の購買意欲を向上させることができる。
【００３４】
以上、この考案の実施例を図面を参照して詳述してきたが、具体的な構成はこの実施例に限られるものではなく、この考案の要旨を逸脱しない範囲の設計の変更等があってもこの考案に含まれる。例えば、カップは、逆つり鐘形状に限らず、その表面が多角柱面となる場合であっても良い。また、カップの個数は２個の場合であっても良いし、４個の場合であっても良い。そして、コップ容器に入れる食品は、かき氷、シャーベット、ソフトクリーム、アイスクリーム等の氷菓子食品に限らず、ジュースのような飲料食品、その他の半流動性食品あるいは流動性食品であっても良い。
【００３５】
また、コップ容器の各部位の彩色においては、上記カラー七色の他に白色、黒色を用いても良く、更には、これらの混合色あるいは部分的な配合色を用いても良い。
【００３６】
また、コップ容器の各部位の原料としてポリエチレンを用いる場合について述べたが、例えば、ポリプロピレンであっても良いし、ＰＥＴを用いても良い。また、射出成形によらず、例えば注型成形によって製造するようにしても良い。
【００３７】
また、第２実施例では、調光領域１７ａを、所定の図柄又は模様が象られるように形成する場合について述べたが、非調光領域１７ｂを、図柄又は模様が象られるように形成しても良い。また、把手部１３にも上記調光領域を設けるようにしても良い。
【図面の簡単な説明】
【００３８】
【図１】この考案の第１実施例であるコップ容器の斜視図である。
【図２】同コップ容器の正面図である。
【図３】同コップ容器の平面図である。
【図４】同コップ容器の組み立て方法を示す正面図である。
【図５】同コップ容器の部位であるカップの斜視図である。
【図６】同コップ容器の部位である把手部及び支持部の斜視図である。
【図７】同コップ容器の別の把手部及び支持部の斜視図である。
【図８】同コップ容器の部位である台座部の斜視図である。
【図９】同コップ容器の部位である多数のカップを積み重ねた平面図である。
【図１０】同コップ容器の部位である多数の台座部を積み重ねた斜視図である。
【図１１】この考案の第２実施例であるコップ容器の斜視図である。
【図１２】同コップ容器の部位であるカップの断面構造図である。
【符号の説明】
【００３９】
１，１１  コップ容器
２，１２  カップ部
２ａ、２ｂ、２ｃ、２ｎ、１２ａ、１２ｂ、１２ｃ  カップ
３，１３  把手部（幹部）
４，１４  支持部（枝部）
４ａ、４ｂ、４ｃ、１４ａ、１４ｂ、１４ｃ  支持分枝（枝部、被差込用凹部）
５，５ａ、５ｂ、５ｃ、１５  台座部
６ａ、６ｂ、６ｃ  カップ継手（差込用凸部）
７  台座継手
１６  透明フィルム
１７  調光フィルム
１７ａ  調光領域
１７ｂ  非調光領域
１８  マイクロカプセル
１９  母材
２０  液晶層（調光領域）
２１，２２  透明層
【図１】
0003102388.tif 000003
【図２】
0003102388.tif 000004
【図３】
0003102388.tif 000005
【図４】
0003102388.tif 000006
【図５】
0003102388.tif 000007
【図６】
0003102388.tif 000008
【図７】
0003102388.tif 000009
【図８】
0003102388.tif 000010
【図９】
0003102388.tif 000011
【図１０】
0003102388.tif 000012
【図１１】
0003102388.tif 000013
【図１２】
0003102388.tif 000014